(57)【要約】【課題】フィニッシャをケース体に取り付けやすく、かつ、取り付け後はフィニッシャをケース体から外れにくくするのに有利な空気吹出装置を提供する。【解決手段】空気吹出装置１０は、通風路１１ａを有するケース体１１と、ケース体１１の前側に組み付けられ、通風路１１ａからの空気を吹き出すフィニッシャ１２とを備え、フィニッシャ１２は、ケース体１１に向かって突出する突出片２０を有し、突出片２０は、フィニッシャ１２の背面から延在し、係合穴２１ａを有する第１突出領域２１と、第１突出領域２１の係合穴２１ａからフィニッシャ１２の背面までの位置に並設された第２突出領域２２とを有し、ケース体１１は、第１突出領域２１の係合穴２１ａと係合可能な凸部３０と、第２突出領域２２と係合可能な切欠き部３１ａが設けられた係止部材３１とを有する。【選択図】図２
2017149249.tif 000002
【特許請求の範囲】
【請求項１】
通風路を有するケース体と、
該ケース体の前側に組み付けられ、前記通風路からの空気を吹き出すフィニッシャと、を備え、
前記フィニッシャは、前記ケース体に向かって突出する突出片を有し、
前記突出片は、
前記フィニッシャの背面から延在し、係合穴を有する第１の突出領域と、
前記第１の突出領域の係合穴から前記フィニッシャの背面までの位置に並設された第２の突出領域と、を有し、
前記ケース体は、前記第１の突出領域の係合穴と係合可能な凸部と、前記第２の突出領域と係合可能な切欠き部が設けられた係止部材と、を有する
ことを特徴とする空気吹出装置。
【請求項２】
前記切欠き部は、前記第１の突出領域の係合穴と前記ケース体の凸部とが係合している状態において、前記第２の突出領域の上面に近接して対向配置される第１面を有することを特徴とする請求項１に記載の空気吹出装置。
【請求項３】
前記切欠き部は、前記第１面に対向し、かつ、前記第１の突出領域の係合穴と前記ケース体の凸部とが係合している状態において、前記第２の突出領域の下面に近接して対向配置される第２面を有することを特徴とする請求項２に記載の空気吹出装置。
【請求項４】
前記ケース体の係止部材は、前記フィニッシャの第１の突出領域の周囲を囲むように繋がって一体形成されていることを特徴とする請求項１乃至３のいずれか１項に記載の空気吹出装置。
【発明の詳細な説明】
【技術分野】
【０００１】
本発明は、空気吹出装置に関する。
【背景技術】
【０００２】
従来、車両用空調装置等に用いられる空気吹出装置は、通風路を有するケース体と、該ケース体に取り付けられ、通風路からの空気を吹き出すフィニッシャとを含む。特許文献１においては、ケース体側に向かって突出する挿入片を有するフィニッシャを、当該挿入片を案内する挿入溝を有するケース体に取り付けるための構造を開示している。また、特許文献１に記載の取付構造では、ケース体は、挿入溝の外側から立ち上がり挿入片の先端付近に僅かに張り出すテーパ状ガイドを有するストッパを備える。このような構造によれば、フィニッシャの取り付け後、挿入片の係合凹部と挿入溝の係合凸部とが係合するのに加えて、挿入片の先端部がストッパに係合することで挿入片がケース体の外側に向かう移動を規制されるので、フィニッシャがケース体から外れにくい。
【先行技術文献】
【特許文献】
【０００３】
【特許文献１】実開平４−７８０１２号公報
【発明の概要】
【発明が解決しようとする課題】
【０００４】
特許文献１に記載の取付構造では、ストッパは、取り付け後の挿入片の先端部を押さえることができるように、挿入溝の奥側に設けられている。一方、特許文献１に記載の取付構造では、フィニッシャを取り付ける際、挿入片は、その係合凹部と挿入溝の係合凸部とが係合するまで、挿入溝の係合凸部と接触しながらケース体の外側に向かって撓む。そのため、実際には、作業者は、挿入溝の奥側にあるストッパに挿入片の先端部を係合させづらく、フィニッシャをケース体に取り付けるのが難しい。
【０００５】
そこで、本発明は、フィニッシャをケース体に取り付けやすく、かつ、取り付け後はフィニッシャをケース体から外れにくくするのに有利な空気吹出装置を提供することを目的とする。
【課題を解決するための手段】
【０００６】
本発明に係る空気吹出装置は、通風路を有するケース体と、該ケース体の前側に組み付けられ、通風路からの空気を吹き出すフィニッシャと、を備え、フィニッシャは、ケース体に向かって突出する突出片を有し、突出片は、フィニッシャの背面から延在し、係合穴を有する第１の突出領域と、第１の突出領域の係合穴からフィニッシャの背面までの位置に並設された第２の突出領域と、を有し、ケース体は、第１の突出領域の係合穴と係合可能な凸部と、第２の突出領域と係合可能な切欠き部が設けられた係止部材と、を有する。
【発明の効果】
【０００７】
本発明に係る空気吹出装置によれば、フィニッシャをケース体に取り付けたとき、フィニッシャの第１の突出領域にある係合穴がケース体側の凸部に係合するので、フィニッシャが突出片の突出方向の反対側に外れることが抑止される。また、フィニッシャの第２の突出領域がケース体側の切欠き部に係合するので、フィニッシャが突出片と交差する方向に外れることが抑止される。さらに、フィニッシャをケース体に取り付けるとき、第２の突出領域と係止部材とがケース体の通風路の手前側に位置する。したがって、作業者は、第２の突出領域と切欠き部とを係合させやすいので、フィニッシャをケース体に容易に取り付けることができる。
【図面の簡単な説明】
【０００８】
【図１】本発明の一実施形態に係る空気吹出装置の構成を示す概略斜視図である。
【図２】取り付け部の構成を示す概略斜視図である。
【図３】取り付け部の作用と比較例とを説明するための概略断面図である。
【発明を実施するための形態】
【０００９】
以下、本発明の実施形態を図面とともに詳述する。
【００１０】
本実施形態に係る空気吹出装置は、例えば、自動車等の車両に備えられた空調装置に連設され、空調装置からの空気を車室内に吹き出す装置であり、インストルメントパネルやセンターコンソール等に設置され得る。
【００１１】
以下、空気が吹き出す吹出方向の下流側を前側、吹出方向の上流側を後側とし、図中、矢印Ｆは前側に向かう方向を示し、矢印Ｒは後側へ向かう方向を示す。
【００１２】
図１は、本実施形態に係る空気吹出装置１０の構成を示す概略斜視図である。空気吹出装置１０は、ケース体１１と、複数の取り付け部１３を介してケース体１１の前側に取り付けられるフィニッシャ１２とを備える。空気吹出装置１０が例えばインストルメントパネルに設置されている状態では、フィニッシャ１２の前面が車室内に面する。
【００１３】
ケース体１１は、角筒状であり、内部に、不図示の空調装置からの空気を後側から前側へ流通させる通風路１１ａを有する。通風路１１ａの断面は、例えば、吹出方向に対して上下方向の寸法よりも左右方向の寸法が大きい扁平形状である。ケース体１１は、例えば合成樹脂材料から形成される。
【００１４】
フィニッシャ１２は、空気吹出装置１０の車室内側の意匠面の一部をなすものであり、車室内へ空気を吹き出す吹出口１４ａを有する枠体１４と、吹出口１４ａから車室内へ吹き出される空気の流れの向きを調整可能するフィン１５とを有する。枠体１４及びフィン１５は、それぞれ、例えば合成樹脂材料から形成される。
【００１５】
図２は、取り付け部１３の構成を示す概略斜視図である。特に、図２（ａ）は、ケース体１１にフィニッシャ１２を取り付ける前の状態を示す図である。図２（ｂ）は、ケース体１１にフィニッシャ１２が取り付けられた後の状態を示す図である。また、図２（ｃ）は、取り付け部１３のケース体１１側の構成を示す図である。
【００１６】
取り付け部１３は、ケース体１１にフィニッシャ１２を取り付ける際に、ケース体１１の一部と、フィニッシャ１２の一部とを互いに係合させる。ここで、ケース体１１にフィニッシャ１２を取り付ける取付方向は、空気の吹出方向とは反対となる。また、取り付け部１３は、一例として、図１に示すように吹出口１４ａ及び通風路１１ａを基準として上側に２つ、さらに、不図示であるが下側に２つの、計４つ存在する。各々の取り付け部１３の構成は同一であるので、以下、１つの取り付け部１３の構成について詳説する。
【００１７】
まず、フィニッシャ１２は、取り付け部１３の構成要素として、ケース体１１に向かって突出する突出片２０を有する。突出片２０は、第１突出領域２１と、第２突出領域２２とを含む。また、突出片２０は、例えば合成樹脂材料から形成され、外力に耐え得る剛性を有するとともに、取り付け時の若干の撓みを許容する弾性を有する。
【００１８】
第１突出領域２１は、ケース体１１の外壁面１１ｂの面方向に沿って延在する主平面を有する平板部材である。特に、第１突出領域２１は、フィニッシャ１２の枠体１４の背面から延在し、かつ、係合穴２１ａを有する。係合穴２１ａは、外壁面１１ｂに向かって貫通する孔である。
【００１９】
第２突出領域２２は、第１突出領域２１と同様に、ケース体１１の外壁面１１ｂの面方向に沿って延在する主平面を有する平板部材である。特に、第２突出領域２２は、第１突出領域２１の係合穴２１ａからフィニッシャ１２の背面までの位置に並設される。第２突出領域２２は、例えば、図２（ａ）及び（ｂ）に示すように、第１突出領域２１の側面の両側に１つずつの計２つ設置され得る。ここで、係合穴２１ａからフィニッシャ１２の背面までの位置とは、具体的には、図２（ａ）に示すように、第１突出領域２１の突出方向における係合穴２１ａの先端からフィニッシャ１２の枠体１４の背面までの距離Ｌ１に相当する範囲をいう。すなわち、第２突出領域２２は、突出方向の長さＬ２が距離Ｌ１の範囲に含まれるように配設される。
【００２０】
一方、ケース体１１は、取り付け部１３の構成要素として、第１突出領域２１の係合穴２１ａと係合可能な凸部３０と、第２突出領域２２と係合可能な切欠き部３１ａが設けられた係止部材３１とを有する。
【００２１】
凸部３０は、外壁面１１ｂから外側に向かって突出するように、ケース体１１の外壁面１１ｂに設置される。特に、凸部３０は、係合穴２１ａと係合した後に、外部からの衝撃を受けて係合穴２１ａが突出片２０の突出方向の反対側に外れにくくするために、係合穴２１ａの内壁と突出方向で対向する平面部３０ａを有する。また、凸部３０は、係合穴２１ａをより容易に係合させるために、取付方向への移動に伴って突出片２０を撓ませる傾斜部３０ｂを有する。
【００２２】
係止部材３１は、外壁面１１ｂから外側に向かって、ケース体１１の外壁面１１ｂに立設される。特に、係止部材３１の形状は、少なくとも切欠き部３１ａを含み得る大きさを有すればよいが、図２に示すように、第１突出領域２１の周囲を囲むように繋がって一体形成されているのが望ましい。
【００２３】
切欠き部３１ａは、第１突出領域２１の係合穴２１ａとケース体１１の凸部３０とが係合している状態において、第２突出領域２２の上面に近接して対向配置される第１面３１ａ１を有する。また、切欠き部３１ａは、第１面３１ａ１に対向し、かつ、係合穴２１ａと凸部３０とが係合している状態において、第２突出領域２２の下面に近接して対向配置される第２面３１ａ２を有することが望ましい。さらに、取り付けの際に切欠き部３１ａに第２突出領域２２をより係合させやすくするために、図２（ｃ）に示すように、第１面３１ａ１及び第２面３１ａ２が、取付方向の奥側に向かうにつれて互いに近接するように互いに傾斜を有するものとしてもよい。
【００２４】
次に、本実施形態による作用及び効果について説明する。図３は、本実施形態による取り付け部１３の作用と比較例とを説明するための概略断面図である。図３（ａ）は、図２（ｂ）におけるＡ−Ａ断面図である。図３（ｂ）は、図２（ｂ）におけるＢ−Ｂ断面図である。また、図３（ｃ）は、比較例として、図３（ｂ）に示す構成に対応し、第２突出領域２２が存在しない取り付け部の作用を説明するための図である。
【００２５】
（１）本実施形態に係る空気吹出装置１０は、通風路１１ａを有するケース体１１と、ケース体１１の前側に組み付けられ、通風路１１ａからの空気を吹き出すフィニッシャ１２と、を備え、フィニッシャ１２は、ケース体１１に向かって突出する突出片２０を有し、突出片２０は、フィニッシャ１２の背面から延在し、係合穴２１ａを有する第１突出領域２１と、第１突出領域２１の係合穴２１ａからフィニッシャ１２の背面までの位置に並設された第２突出領域２２と、を有し、ケース体１１は、第１突出領域２１の係合穴２１ａと係合可能な凸部３０と、第２突出領域２２と係合可能な切欠き部３１ａが設けられた係止部材３１と、を有する。
【００２６】
本実施形態に係る空気吹出装置１０によれば、フィニッシャ１２をケース体１１に取り付けたとき、第１に、図３（ａ）に示すように、フィニッシャ１２の第１突出領域２１にある係合穴２１ａがケース体１１側の凸部３０に係合する。したがって、ケース体１１に取り付けられた後のフィニッシャ１２が外部から衝撃を受けた場合でも、突出片２０が突出方向の反対側に外れることが抑止される。
【００２７】
また、フィニッシャ１２をケース体１１に取り付けたとき、第２に、図３（ｂ）に示すように、フィニッシャ１２の第２突出領域２２がケース体１１側の切欠き部３１ａに係合する。したがって、ケース体１１に取り付けられた後のフィニッシャ１２が外部から衝撃を受けた場合でも、突出片２０が、当該突出片２０と交差する方向に外れることが抑止される。また、第２突出領域２２は、第１突出領域２１の係合穴２１ａからフィニッシャ１２の背面までの位置に配設されているので、第２突出領域２２と切欠き部３１ａとの係合に合わせて進行する係合穴２１ａと凸部３０との係合時の第１突出領域２１の変形量を極力少なくすることができる。
【００２８】
さらに、フィニッシャ１２をケース体１１に取り付けるとき、第２突出領域２２と切欠き部３１ａとがケース体１１の通風路１１ａの手前側に位置する。すなわち、第２突出領域２２と切欠き部３１ａとは、作業者が目視しやすく、かつ直接手で触ることができる位置に存在することになる。したがって、作業者は、第２突出領域２２と切欠き部３１ａとを係合させやすく、フィニッシャ１２をケース体１１に容易に取り付けることができる。
【００２９】
（２）切欠き部３１ａは、第１突出領域２１の係合穴２１ａとケース体１１の凸部３０とが係合している状態において、第２突出領域２２の上面に近接して対向配置される第１面３１ａ１を有する。
【００３０】
本実施形態に係る空気吹出装置１０によれば、フィニッシャ１２がケース体１１に取り付けられている状態では、第２突出領域２２の直上に切欠き部３１ａの第１面３１ａ１が存在する。したがって、突出片２０と交差する方向のうち、特にケース体１１から外側に向かう方向に突出片２０が外れることが抑止される。
【００３１】
ここで、比較例としての図３（ｃ）を参照すると、第２突出領域２２が存在しない場合には、ケース体４０に取り付けられた後のフィニッシャ４１が受ける外部からの衝撃の大きさや方向によっては、図中の矢印Ｘで示すような、ケース体４０から外側に向かう方向に突出片４２が外れてしまうことがあった。これを完全対策するためには、ケース体１１に形成された凸部３０を熱カシメ等でフィニッシャ１２に形成された係合穴２１ａの周縁に融着する工程を追加する必要があった。これに対して、本実施形態によれば、突出片２０が上記矢印Ｘで示すような方向に外れようとしても、第２突出領域２２の上面が切欠き部３１ａの第１面３１ａ１に当接するので、第２突出領域２２の移動は規制され、結果として、突出片２０は外れない。
【００３２】
（３）切欠き部３１ａは、第１面３１ａ１に対向し、かつ、第１突出領域２１の係合穴２１ａとケース体１１の凸部３０とが係合している状態において、第２突出領域２２の下面に近接して対向配置される第２面３１ａ２を有する。
【００３３】
本実施形態に係る空気吹出装置１０によれば、フィニッシャ１２がケース体１１に取り付けられている状態では、第２突出領域２２が、互いに対向する第１面３１ａ１と第２面３１ａ２とに挟まれる。したがって、外部からの衝撃を受けても、突出片２０の変形自体が抑止され、突出片２０が外れることの抑止に繋がる。特に、外部からの衝撃が、１つの方向からかかる外力に起因するものではなく、ねじれ等の複雑なものである場合には、特に有効となる。
【００３４】
（４）ケース体１１の係止部材３１は、フィニッシャ１２の第１突出領域２１の周囲を囲むように繋がって一体形成されている。
【００３５】
本実施形態に係る空気吹出装置１０によれば、フィニッシャ１２がケース体１１に取り付けられている状態では、第１突出領域２１の側面とケース体１１の係止部材３１の側面とが、常に広範囲で接していることになる。したがって、突出片２０は、外部からの衝撃を受けても、その側面が係止部材３１の側面に支えられるので、突出片２０の変形自体が抑止され、突出片２０が外れることの抑止に繋がる。さらに、係止部材３１は、このような形状とすることにより、ケース体１１にフィニッシャ１２を取り付けるときの突出片２０の移動を案内する機能や、直接的な外力から突出片２０を防護する機能も有する。
【００３６】
以上、本発明の好ましい実施形態について説明したが、本発明は、上記の実施形態に限定されず、その要旨の範囲内で種々の変形及び変更が可能である。
【００３７】
例えば、上記実施形態では、第１突出領域２１に形成されている係合穴２１ａは、貫通孔であるが、第１突出領域２１の厚みが比較的厚い場合には、外壁面１１ｂに向かって凹となる凹部であってもよい。
【００３８】
また、上記実施形態では、第１突出領域２１と第２突出領域２２とは、同一平面で互いに隣設しているものとしたが、各平面に若干の高さの差があっても構わない。
【００３９】
また、上記実施形態では、第２突出領域２２が、第１突出領域２１と同様に、フィニッシャ１２の枠体１４の背面から延在しているものとした。これは、第２突出領域２２の剛性の面で有利である。ただし、本発明の効果を奏する上では、第２突出領域２２が、第１突出領域２１に並設され、かつ、第１突出領域２１の係合穴２１ａからフィニッシャ１２の背面までの位置に配設されるという条件を満たすのであれば、第２突出領域２２が枠体１４の背面から離れている構成もあり得る。
【符号の説明】
【００４０】
１０    空気吹出装置
１１    ケース体
１１ａ  通風路
１２    フィニッシャ
２０    突出片
２１    第１突出領域
２１ａ  係合穴
２２    第２突出領域
３０    凸部
３１    係止部材
３１ａ  切欠き部
【図１】
2017149249.tif 000003
【図２】
2017149249.tif 000004
【図３】
2017149249.tif 000005